(57)【要約】  【課題】ユーザが結果メッセージを簡単に受け取ることができ、かつ、不正ななりすましを防ぐことができる結果メッセージ送出装置を提供する。  【解決手段】  結果メッセージ送出装置１００は、ユーザ端末であるデジタル受信機１０１からのアクセスをエントリー期間の間に受け付けて、アクセスに対する登録を行い、エントリー期間終了後に、登録に対する処理の結果のメッセージを送出する。結果メッセージ送出装置１００において、Ｗｅｂ認証処理部１０５は、デジタル受信機１０１からデジタル放送用のＣＡＳカードＩＤを通信経由で受け付けて、ＣＡＳカードＩＤに基づいて視聴者を認証する。メッセージ生成処理部１０６が処理の結果のメッセージを生成すると、生成されたメッセージは放送波上でＥＭＭメッセージ送信によってデジタル受信機１０１に提供される。処理の結果メッセージは例えば抽選結果のメッセージである。【選択図】  図１
2007336134.tif 000002
【特許請求の範囲】
【請求項１】
ユーザ端末からのアクセスをエントリー期間の間に受け付けて、前記アクセスに対する登録を行い、前記エントリー期間終了後に、前記登録に対する処理の結果のメッセージを前記ユーザ端末に送出する結果メッセージ送出装置であって、
前記ユーザ端末であるデジタル受信機に放送波でＥＭＭメッセージを送信するＥＭＭ送出処理部と、
ユーザである視聴者の個人情報とデジタル放送用のＣＡＳカードＩＤの情報を管理する顧客管理処理部と、
前記デジタル受信機に通信経由で接続されて、前記デジタル受信機に、前記アクセスの登録のためのＷｅｂコンテンツを提示するＷｅｂコンテンツ処理部と、
前記デジタル受信機から前記ＣＡＳカードＩＤを通信経由で受け付けて、前記顧客管理処理部により管理される情報に基づいて前記視聴者を認証するＷｅｂ認証処理部と、
前記Ｗｅｂコンテンツへの前記視聴者の登録に対する処理の結果を前記視聴者に伝えるメッセージを生成するメッセージ生成処理部と、
を備え、前記ＥＭＭ送出処理部は、前記メッセージ生成処理部により生成されたメッセージを前記デジタル受信機から出力される画面上に表示するためのＥＭＭメッセージ送信を行うことを特徴とする結果メッセージ送出装置。
【請求項２】
同一家庭内の複数のデジタル受信機のＣＡＳカードＩＤをグルーピングすることによって前記ＣＡＳカードＩＤのグループ管理を行うグループ管理処理部を備え、
前記ＥＭＭ送出処理部は、グルーピングされた複数のＣＡＳカードＩＤの一つからの登録に対する処理の結果を伝えるＥＭＭメッセージ送信を、前記複数のＣＡＳカードＩＤを対象として行い、
さらに、前記ＥＭＭ送出処理部は、グルーピングされた複数のＣＡＳカードＩＤの一つと共に読終りメッセージ消去要求が通信経由で受け付けられたとき、メッセージ消去のＥＭＭメッセージ送信を前記複数のＣＡＳカードＩＤを対象として行うことを特徴とする請求項１に記載の結果メッセージ送出装置。
【請求項３】
前記登録が抽選応募であり、前記Ｗｅｂコンテンツ処理部は抽選応募コンテンツを提示し、前記登録に対する処理として抽選処理を行う抽選処理装置が設けられ、前記メッセージ生成処理部は抽選結果を伝えるメッセージを生成することを特徴とする請求項１または２に記載の結果メッセージ送出装置。
【請求項４】
特定の許可された視聴者を対象とした特定許可コンテンツを提供するための処理を行う特定許可コンテンツ提供処理部を備え、
前記ＥＭＭ送出処理部は、前記処理の結果のメッセージとして、前記特定許可コンテンツの取得の許可または拒否を伝えるメッセージを送信し、
前記Ｗｅｂ認証処理部は、前記特定許可コンテンツの取得が許可された視聴者のデジタル受信機からのアクセスに対して前記ＣＡＳカードＩＤに基づく認証処理を行い、
前記特定許可コンテンツ提供処理部は、前記Ｗｅｂ認証処理部の認証結果に応じて、前記特定許可コンテンツの取得が許可された視聴者の前記デジタル受信機へと前記特定許可コンテンツを提供するための処理を行うことを特徴とする請求項１ないし３のいずれかに記載の結果メッセージ送出装置。
【請求項５】
前記特定許可コンテンツ提供処理部は、放送波または通信によって取得される前記特定許可コンテンツの録画または蓄積予約を自動的に行うスクリプトを有するスクリプト付きコンテンツを前記デジタル受信機に提供することを特徴とする請求項４に記載の結果メッセージ送出装置。
【発明の詳細な説明】
【技術分野】
【０００１】
本発明は、ユーザからの登録に対して行われた抽選等の処理の結果を伝えるメッセージを送出する結果メッセージ送出装置に関する。
【背景技術】
【０００２】
従来、応募抽選等の結果のメッセージを簡単に伝えるために結果メッセージ送出装置が提案されている。従来の結果メッセージ送出装置は、ユーザ端末からのアクセスをエントリー期間の間に受け付けて、アクセスに対する登録を行い、エントリー期間終了後に、登録に対する処理の結果のメッセージをユーザ端末に送出する。
【０００３】
図１０は、従来の結果メッセージ送出装置の例を示している。図１０において、結果メッセージ送出装置１は、通信事業者内の装置であり、ユーザが登録するためのＷｅｂコンテンツを配信するＷｅｂコンテンツ処理部２と、登録に対する処理の結果のメッセージを送信するＥ−ｍａｉｌ配信処理部３で構成されている。ユーザ端末装置４からＷｅｂコンテンツが閲覧されて登録が行われ、登録用のＷｅｂコンテンツでの登録内容に基づいて、Ｅ−ｍａｉｌ配信処理部３からＥ−ｍａｉｌサーバ５を介して各ユーザ端末装置４へ、結果メッセージのＥ−ｍａｉｌが配信される。
【０００４】
従来の結果メッセージ送出装置の適用例においては、「くじ」を登録コンテンツから購入し、「くじ」の当選結果をＥ−ｍａｉｌで配信することが提案されている（特許文献１参照）。
【特許文献１】特開２００２−３７３２２０号公報
【発明の開示】
【発明が解決しようとする課題】
【０００５】
しかしながら、従来の結果メッセージ送出装置においては、結果メッセージをＥ−ｍａｉｌで配信するので、ユーザがパーソナルコンピュータを起動し、Ｅ−ｍａｉサーバ５からメールを取得し、当選結果が記載されているメールを探し出すといった作業が必要があり、作業が煩雑であるという問題があった。また、認証方法は一般には任意に登録したユーザＩＤとパスワード入力によるものであり、フリーメールなどを使用したなりすましが可能であり、例えば複数応募を行ったり、当選者になりすましてアクセスすることができるという問題があった。
【０００６】
本発明は、従来の問題を解決するためになされたもので、その目的は、ユーザが結果メッセージを簡単に受け取ることができ、かつ、不正ななりすましを防ぐことができる結果メッセージ送出装置を提供することにある。
【課題を解決するための手段】
【０００７】
本発明の結果メッセージ送出装置は、ユーザ端末からのアクセスをエントリー期間の間に受け付けて、前記アクセスに対する登録を行い、前記エントリー期間終了後に、前記登録に対する処理の結果のメッセージを前記ユーザ端末に送出する装置であって、前記ユーザ端末であるデジタル受信機に放送波でＥＭＭメッセージを送信するＥＭＭ送出処理部と、ユーザである視聴者の個人情報とデジタル放送用のＣＡＳカードＩＤの情報を管理する顧客管理処理部と、前記デジタル受信機に通信経由で接続されて、前記デジタル受信機に、前記アクセスの登録のためのＷｅｂコンテンツを提示するＷｅｂコンテンツ処理部と、前記デジタル受信機から前記ＣＡＳカードＩＤを通信経由で受け付けて、前記顧客管理処理部により管理される情報に基づいて前記視聴者を認証するＷｅｂ認証処理部と、前記Ｗｅｂコンテンツへの前記視聴者の登録に対する処理の結果を前記視聴者に伝えるメッセージを生成するメッセージ生成処理部と、を備え、前記ＥＭＭ送出処理部は、前記メッセージ生成処理部により生成されたメッセージを前記デジタル受信機から出力される画面上に表示するためのＥＭＭメッセージ送信を行うように構成されている。
【０００８】
この構成により、デジタル受信機をユーザ端末として利用し、デジタル受信機から登録のアクセスを受け付け、デジタル放送のＣＡＳカードＩＤを利用してユーザを認証し、登録に対する処理の結果をＥＭＭメッセージで提供する。このようにしてＥＭＭメッセージによりプッシュ型でメッセージが通知され、ユーザがデジタル受信機の電源を入れて選局したときに結果を画面上に表示させることができ、ユーザの問合せ作業を削減できる。さらに、ＣＡＳカードＩＤを用いてユーザを認証することによって、通信経由でアクセスするときのなりすましを防ぐことができる。こうして、ユーザが結果メッセージを簡単に受け取ることができ、かつ、なりすましを防ぐことができる結果メッセージ送出装置を提供できる。
【０００９】
また、本発明の結果メッセージ送出装置は、同一家庭内の複数のデジタル受信機のＣＡＳカードＩＤをグルーピングすることによって前記ＣＡＳカードＩＤのグループ管理を行うグループ管理処理部を備え、前記ＥＭＭ送出処理部は、グルーピングされた複数のＣＡＳカードＩＤの一つからの登録に対する処理の結果を伝えるＥＭＭメッセージ送信を、前記複数のＣＡＳカードＩＤを対象として行い、さらに、前記ＥＭＭ送出処理部は、グルーピングされた複数のＣＡＳカードＩＤの一つと共に読終りメッセージ消去要求が通信経由で受け付けられたとき、メッセージ消去のＥＭＭメッセージ送信を前記複数のＣＡＳカードＩＤを対象として行う。
【００１０】
この構成により、同一家庭内の複数のデジタル受信機のＣＡＳカードＩＤがグルーピングされる。グループ内の一つのデジタル受信機を使って登録が行われると、グループ内の任意のデジタル受信機を使って結果メッセージを表示できる。また、グループ内の任意のデジタル受信機を使って読終りメッセージ消去を要求したときも、グループ内の全部のデジタル受信機で結果メッセージが消去される。こうして、同一家庭内の複数のデジタル受信機をメッセージ受取りに利用可能になり、利便性が向上する。
【００１１】
また、本発明の結果メッセージ送出装置においては、前記登録が抽選応募であり、前記Ｗｅｂコンテンツ処理部は抽選応募コンテンツを提示し、前記登録に対する処理として抽選処理を行う抽選処理装置が設けられ、前記メッセージ生成処理部は抽選結果を伝えるメッセージを生成する。
【００１２】
この構成により、結果メッセージ送出装置を使って抽選結果のメッセージを提供することができる。
【００１３】
また、本発明の結果メッセージ送出装置は、特定の許可された視聴者を対象とした特定許可コンテンツを提供するための処理を行う特定許可コンテンツ提供処理部を備え、前記ＥＭＭ送出処理部は、前記処理の結果のメッセージとして、前記特定許可コンテンツの取得の許可または拒否を伝えるメッセージを送信し、前記Ｗｅｂ認証処理部は、前記特定許可コンテンツの取得が許可された視聴者のデジタル受信機からのアクセスに対して前記ＣＡＳカードＩＤに基づく認証処理を行い、前記特定許可コンテンツ提供処理部は、前記Ｗｅｂ認証処理部の認証結果に応じて、前記特定許可コンテンツの取得が許可された視聴者の前記デジタル受信機へと前記特定許可コンテンツを提供するための処理を行う。
【００１４】
この構成により、特定許可コンテンツの取得許可者に対しても、ＣＡＳカードＩＤを使った認証を行うので、なりすましによる特定許可コンテンツの取得を防ぎ、許可者にのみ特定許可コンテンツを提供できる。例えば、結果メッセージは抽選結果のメッセージであり、許可者は当選者であり、特定許可コンテンツは当選者のみに提供されるプレゼントコンテンツである。
【００１５】
また、本発明の結果メッセージ送出装置において、前記特定許可コンテンツ提供処理部は、放送波または通信によって取得される前記特定許可コンテンツの録画または蓄積予約を自動的に行うスクリプトを有するスクリプト付きコンテンツを前記デジタル受信機に提供する。
【００１６】
この構成により、許可者のみへの特定許可コンテンツの提供を、ある程度の時間が経過した後に行うことも可能になる。
【発明の効果】
【００１７】
本発明は、デジタル受信機から登録のアクセスを受け付け、デジタル放送のＣＡＳカードＩＤを利用してユーザを認証し、登録に対する処理の結果をＥＭＭメッセージで提供することにより、ユーザが結果メッセージを簡単に受け取ることができ、かつ、なりすましを防ぐことができるという効果を有する結果メッセージ送出装置を提供できる。
【発明を実施するための最良の形態】
【００１８】
以下、本発明の実施の形態に係る結果メッセージ送出装置について、図面を用いて説明する。
【００１９】
本発明の第１の実施の形態に係る結果メッセージ送出装置を図１に示す。本実施の形態では、結果メッセージ送出装置１００が放送事業者に設けられており、デジタル受信機１０１へ放送波でデジタル放送を提供でき、かつ、デジタル受信機１０１と通信回線１０２を介して接続されて双方向通信を行うことができる。この双方向通信に関し、デジタル受信機１０１はブラウザを有しており、結果メッセージ送出装置１００にアクセスしてＢＭＬ（Broadcast Markup Language）で記述されたコンテンツを閲覧でき、また、画面表示と入力操作部の機能を利用して各種の入力操作が可能に構成されている。
【００２０】
また、デジタル受信機１０１にはＣＡＳ（Conditional Access System）カード１０８が装着されている。ＣＡＳカード１０８はＩＣカードであり、デジタル放送への加入者毎の固有のＩＤであるＣＡＳカードＩＤを記憶している。
【００２１】
また、結果メッセージ送出装置１００からデジタル受信機１０１へは、放送波を利用してＥＭＭメッセージ送信が行われる。ＥＭＭ（Entitlement Management Message）は、視聴可能な番組を視聴者毎に制限する限定受信のための仕組みであり、ＣＡＳカード１０８が利用される。ＥＭＭは、映像や音声などと多重化されて送出される。
【００２２】
本実施の形態では、デジタル受信機１０１が、結果メッセージ送出装置１００と通信して結果メッセージを受け取るユーザ端末装置として利用される。結果メッセージ送出装置１００は、概略的には、通信回線１０２を介してデジタル受信機１０１からのアクセスをエントリー期間に受け付けて、アクセスに対する登録を行う。一例としては、抽選の応募の登録が行われる。結果メッセージ送出装置１００は、エントリー期間終了後に、結果のメッセージを、ＥＭＭメッセージフォーマットでデジタル受信機１０１に送信する。本発明は、ＥＭＭメッセージ送信が個々の視聴者を対象として個別に行えることに着目し、ＥＭＭメッセージ送信を利用して結果メッセージを送信する。
【００２３】
図１において、結果メッセージ送出装置１００は、視聴者に通信経由でアクセス可能なＷｅｂコンテンツを提供するＷｅｂコンテンツ処理部１０３と、視聴者住所、氏名などの個人情報と所有するＣＡＳカードＩＤを管理する顧客管理処理部１０４と、ＣＡＳカードＩＤより視聴者の特定を行うＷｅｂ認証処理部１０５と、視聴者がＷｅｂコンテンツへ登録したデータを基に、各視聴者用にＥＭＭメッセージで送出するメッセージを生成するメッセージ生成処理部１０６と、メッセージ生成処理部１０６で生成されたメッセージをＥＭＭメッセージフォーマットで送出するＥＭＭメッセージ配信処理部１０７を有する。
【００２４】
上記構成のうち、Ｗｅｂコンテンツ処理部１０３は、デジタル受信機１０１に通信回線１０２を介して接続されて、デジタル受信機１０１に、登録のためのＷｅｂコンテンツを提示する。Ｗｅｂ認証処理部１０５は、デジタル受信機１０１のＣＡＳカードＩＤを通信経由で受け付けて、顧客管理処理部１０４により管理される情報に基づいて認証処理を行い、視聴者を特定する。顧客管理処理部１０４は顧客データベースによって実現されてよい。メッセージ生成処理部１０６は、Ｗｅｂコンテンツへの視聴者の登録に対する処理の結果を視聴者に伝えるメッセージを生成する。そして、このメッセージがＥＭＭメッセージ配信処理部１０７により送出され、デジタル受信機１０１から出力される画面上に表示される。ＥＭＭメッセージ配信処理部１０７は本発明のＥＭＭ送出処理部に相当する。
【００２５】
以上のように構成された結果メッセージ送出装置１００について、図２を用いてその動作を説明する。
【００２６】
まず、Ｗｅｂコンテンツ処理部１０３で、放送事業者により、通信経由でアクセス可能な登録用コンテンツが作成され（Ｓ２０１）、作成された登録用コンテンツが放送・通信でＷｅｂコンテンツ処理部１０３からデジタル受信機１０１へ配信される（Ｓ２０２）。デジタル受信機１０１では、登録のための視聴者入力処理として、配信された登録用コンテンツがリアルタイムまたは蓄積後に閲覧され、そのコンテンツより通信経由でアクセスが行われる。ここでは、デジタル受信機１０１からＷｅｂコンテンツ処理部１０３にアクセスして登録用コンテンツが閲覧されて、登録用コンテンツの登録フォームに必要事項が入力されてよい（Ｓ２０３）。そして、デジタル受信機１０１は、Ｗｅｂ認証処理部１０５へ、登録フォームから入力した登録情報と視聴者が登録に使用したデジタル受信機１０１のＣＡＳカードＩＤとを一緒に送信する（Ｓ２０４）。
【００２７】
Ｗｅｂ認証処理部１０５は、下記のように、顧客管理処理部１０４を利用し、ＣＡＳカードＩＤを用いて視聴者を特定して認証処理を行う。Ｗｅｂ認証処理部１０５は、ＣＡＳカードＩＤを顧客管理処理部１０４へ送信して顧客問い合わせ処理を行い（Ｓ２０５）、顧客管理処理部１０４でＣＡＳカードＩＤに基づく顧客情報検索処理が行われて、ＣＡＳカードＩＤから顧客が特定され（Ｓ２０６）、特定された顧客の顧客情報（個人情報）が顧客管理処理部１０４からＷｅｂ認証処理部１０５に送られ（Ｓ２０７）、Ｗｅｂ認証処理部１０５が、取得した情報を用いて、登録情報を送ってきたデジタル受信機１０１の顧客が正規会員であるかを特定する個人認証処理を行う（Ｓ２０８）。ここでは、例えば、デジタル受信機１０１から送られた登録情報およびＣＡＳカードＩＤが、顧客管理処理部１０４に管理された個人情報およびＣＡＳカードＩＤと照合され、両者が一致するか否かが判定される。
【００２８】
認証が成功すると、認証済みの個人の情報として、登録情報およびＣＡＳカードＩＤがＷｅｂ認証処理部１０５からメッセージ生成処理部１０６へ送信され、ここで登録が行われる（Ｓ２０９）。メッセージ生成処理部１０６は、エントリー期間が終了して登録が締め切られた後に、登録情報に基づき各視聴者へ独自のメッセージを生成する（Ｓ２１０）。
【００２９】
ここでは、例えば、登録情報に対する処理として抽選が行われ、当選または落選といった抽選結果のメッセージが生成される。ただし、本発明は抽選処理用の結果メッセージ送出装置に限定されない。結果メッセージ送出装置は、その他の任意の処理結果を送出する装置であってよい。例えば、何らかの申し込みに対する許否のメッセージが送出されてもよい。
【００３０】
また、上記のように登録に対してエントリー期間経過後に所定の処理を行う登録後処理機能は、メッセージ生成処理部１０６に設けられてもよく、また、後述する実施の形態に示される抽選処理装置のように別の構成であってもよい。
【００３１】
メッセージ生成処理部１０６は、生成したメッセージをＥＭＭメッセージ配信処理部１０７に送る（Ｓ２１１）。ＥＭＭメッセージ配信処理部１０７は、メッセージ生成処理部１０６から受け取ったメッセージを、デジタル放送のＥＭＭメッセージ形式へ変換することによって、ＥＭＭメッセージ生成処理を行う（Ｓ２１２）。ＥＭＭメッセージには、受信側での表示期間も記述される。そして、ＥＭＭメッセージがＥＭＭメッセージ配信処理部１０７からデジタル受信機１０１へと視聴者別に送信される（Ｓ２１３）。
【００３２】
ＥＭＭメッセージは、ＣＡＳカードＩＤを利用して特定の視聴者のみが受信できる仕組みになっている。ＥＭＭメッセージは、各視聴者へ個別に送信されて、デジタル受信機１０１に受信され、蓄積される（Ｓ２１４）。デジタル放送システムでは、ＥＭＭメッセージがプッシュ形式でデジタル受信機１０１から視聴者に伝達される。すなわち、メッセージ受信後、視聴者がデジタル受信機１０１の電源をオンにし、選局操作を行う（Ｓ２１５）。このとき、ＥＭＭメッセージに書かれたメッセージ内容が、ＥＭＭメッセージに記述された表示期間の間、デジタル受信機１０１により画面上に表示され、視聴者はメッセージを閲覧できる（Ｓ２１６）。
【００３３】
以上に本発明の第１の実施の形態に係る結果メッセージ送出装置１００について説明した。本実施の形態によれば、上記のように、デジタル受信機１０１をユーザ端末装置として活用し、デジタル受信機１０１から登録のアクセスを受け付け、デジタル放送のＣＡＳカードＩＤを利用してユーザを認証し、登録に対する処理の結果をＥＭＭメッセージで提供する。このようにしてＥＭＭメッセージによりプッシュ型でメッセージが通知され、ユーザがデジタル受信機の電源を入れて選局したときに結果を画面上に表示させることができ、ユーザの問合せ作業を削減できる。さらに、ＣＡＳカードを用いてユーザを認証することによって、通信経由でアクセスするときのなりすましを防ぐことができる。こうして、ユーザが結果メッセージを簡単に受け取ることができ、かつ、なりすましを防ぐことができる結果メッセージ送出装置を提供できる。
【００３４】
なお、結果メッセージ送出の形態としては、本実施の形態とは別に、通信経由の登録に対してメッセージを即時に返して表示させる場合がある。このような形態と異なり、本実施の形態では、エントリー期間が設定されており、メッセージを即座に生成できないという特性がある。例えば、抽選の応募では、応募受付期間があり、即時に抽選結果のメッセージを生成できない。このような場合に、エントリー期間経過後のメッセージ取得に従来は煩雑な作業が必要であったが、本実施の形態ではメッセージ取得を容易にすることができ、したがってこのような場合に本実施の形態が特に有用である。
【００３５】
また、本実施の形態は、実施予定のサーバ型放送や、放送通信を融合させたコンテンツ配信サービス等として有用である。
【００３６】
次に、本発明の第２の実施の形態に係る結果メッセージ送出装置を図３に示す。以下、第１の実施の形態と重複する事項の説明は省略する。
【００３７】
図３に示すように、第２の実施の形態の結果メッセージ送出装置１００は、第１の実施の形態の構成に加えて、グループ管理処理部３０１を備えている。
【００３８】
グループ管理処理部３０１は、同一家族などで複数のデジタル受信機１０１を設置しているために異なる複数のＣＡＳカードＩＤを所有している場合に、それらのＣＡＳカードＩＤをグルーピングして管理する。グループ管理処理部３０１もデータベースで実現されてよい。
【００３９】
グループ管理処理部３０１は、顧客管理処理部１０４に接続されており、顧客管理処理部１０４の顧客情報を参照して、同一家庭のデジタル受信機１０１の顧客を検出する。顧客情報のうちの個人情報に基づいて、住所、名前等から同一家庭の複数の顧客情報が特定されてよい。特定された同一家庭の顧客情報（個人情報とＣＡＳカードＩＤを含む）が、同一グループの顧客情報としてグループ管理処理部３０１に記憶され、管理される。これにより、顧客情報に含まれるＣＡＳカードＩＤもグループ化される。
【００４０】
グループ管理処理部３０１は、顧客管理処理部１０４から顧客情報と共に問い合わせを受けると、問い合わせされた顧客情報が属するグループの情報を返す。このグループ情報から、同一グループのＣＡＳカードＩＤが特定され、以降の処理がグループを対象として行われる。
【００４１】
グループ情報は以下のようにして使用される。グループ内の１つのＣＡＳカードＩＤから登録情報が入手されると、グループ内のすべてのＣＡＳカードＩＤの情報がグループ管理処理部３０１を利用して検索され、メッセージ生成処理部１０６に供給される。メッセージ生成処理部１０６は、グループに属するすべてのＣＡＳカードＩＤに対して、処理の結果のメッセージを生成する。そして、それらメッセージが、ＥＭＭメッセージ配信処理部１０７により、グループに属するすべてのＣＡＳカードＩＤに対して送信される。
【００４２】
また、結果メッセージがデジタル受信機１０１で表示されたあと、ユーザの操作に従い、読終りメッセージ消去要求が結果メッセージ送出装置１００に送られる。ここで、グループ内の１つのデジタル受信機１０１から読終りメッセージ消去要求が送られると、グループ内のすべてのＣＡＳカードＩＤの情報がグループ管理処理部３０１を利用して検索され、メッセージ生成処理部１０６に供給される。メッセージ生成処理部１０６は、グループに属するすべてのＣＡＳカードＩＤに対して、メッセージ消去を指示するメッセージを生成する。そして、それらメッセージが、ＥＭＭメッセージ配信処理部１０７により、グループに属するすべてのＣＡＳカードＩＤに対して送信される。したがって、グループ内の全部のデジタル受信機１０１でメッセージが消去される。
【００４３】
以上のように構成された結果メッセージ送出装置１００について、図４および図５を用いてその動作を説明する。図４および図５において、図２と同一の処理には同一の符号を付してあり、それら処理の説明は省略する。
【００４４】
図４において、登録用Ｗｅｂコンテンツの作成（Ｓ２０１）から顧客問い合わせ（Ｓ２０５）までの処理は図２と同様である。そして、顧客管理処理部１０４がＣＡＳカードＩＤから顧客情報を検索すると（Ｓ２０６）、顧客情報が顧客管理処理部１０４からグループ管理処理部３０１に送信され（Ｓ４０１）、グループ管理処理部３０１でグループ情報検索が行われて、同一グループに属する顧客（視聴者）が特定される（Ｓ４０２）。検索結果として、同一グループの顧客情報であるグループ情報がグループ管理処理部３０１から顧客管理処理部１０４に返される（Ｓ４０３）。顧客管理処理部１０４は、顧客情報とグループ情報をＷｅｂ認証処理部１０５に送信する（Ｓ４０４）。これにより、グループ内の全顧客情報が送信される。そして、顧客情報に含まれたＣＡＳカードＩＤもＷｅｂ認証処理部１０５に供給される。
【００４５】
Ｗｅｂ認証処理部１０５では、個人認証が行われる（Ｓ４０５）。このとき、登録を要求したＣＡＳカードＩＤに対応する顧客情報が認証されて、グループ内の全顧客情報が認証済みとされてよい。認証処理の後、登録情報とＣＡＳカードＩＤがＷｅｂ認証処理部１０５からメッセージ生成処理部１０６へ送信される。この際、グループ内の全顧客情報のＣＡＳカードＩＤが送信される。
【００４６】
以降は、上述の実施の形態と同様に、メッセージ生成処理部１０６でメッセージが生成されて、ＥＭＭメッセージ配信処理部１０７からデジタル受信機１０１へメッセージがＥＭＭメッセージが送信され、デジタル受信機１０１でＥＭＭメッセージが受信されて表示される。ただし、本実施の形態では、同一グループ内の全ＣＡＳカードＩＤに対して同一のメッセージが生成されて、送信される。したがって、同一家庭の任意のデジタル受信機１０１でメッセージを閲覧できる。
【００４７】
図５に移り、ステップＳ２１６でＥＭＭメッセージが表示された後、視聴者がメッセージを消去したい場合、確認済み入力がデジタル受信機１０１に対して行われる（Ｓ５０１）。このとき、前述の登録時と同一の手順でデジタル受信機１０１から放送事業者へ通信経由のアクセスが再び行われ、そして、デジタル受信機１０１から顧客管理処理部１０４へ登録情報とＣＡＳカードＩＤが読終りメッセージ消去要求（通知）として送られる。結果メッセージ送出装置１００では、登録時と同様にして同一グループの顧客が特定され、同一グループのＣＡＳカードＩＤも特定され、また、認証も行われる。そして、登録情報とグループ内の全部のＣＡＳカードＩＤがメッセージ生成処理部１０６へ送られると、メッセージ生成処理部１０６は、グループ内の全部のＣＡＳカードＩＤの各々を対象として、同一の消去メッセージを生成する（Ｓ５０２）。これは、画面からメッセージを消すようにデジタル受信機１０１に消去動作を指示するメッセージである。このメッセージが、ＥＭＭメッセージフォーマットに変換されて、同一グループの全デジタル受信機１０１に送られる。それらデジタル受信機１０１では、ＥＭＭメッセージが受信されて、受信機内の確認済みのメッセージがメモリから消去される（Ｓ５０３）。そして、ＥＭＭメッセージ非表示ステップにて、メッセージが画面からも消える（Ｓ５０４）。
【００４８】
以上に本発明の第２の実施の形態に係る結果メッセージ送出装置１００について説明した。本実施の形態によれば、グループ管理処理部３０１を設けたことにより、同一家庭内の複数のデジタル受信機１０１のＣＡＳカードＩＤがグルーピングされる。グループ内の一つのデジタル受信機１０１を使って登録が行われると、グループ内の任意のデジタル受信機１０１を使って結果メッセージを表示できる。また、グループ内の任意のデジタル受信機１０１を使って読終りメッセージ消去を要求したときも、グループ内の全部のデジタル受信機１０１で結果メッセージが消去される。要するに、同一家庭内のどのデジタル受信機１０１で視聴しても同じ内容の結果メッセージを表示させることが可能で、通信経由で読終りメッセージ消去を通知した場合もグルーピングしたすべてのデジタル受信機１０１からメッセージを消去することができる。同一家庭内の複数のデジタル受信機１０１をメッセージ受取りに利用可能になり、利便性が向上する。
【００４９】
次に、本発明の第３の実施の形態に係る結果メッセージ送出装置を図６に示す。以下、第１、第２の実施の形態と重複する事項の説明は省略する。
【００５０】
図６に示すように、第３の実施の形態の結果メッセージ送出装置１００は、第２の実施の形態の構成に加えて、抽選処理装置６０１を備えている。抽選処理装置６０１は、図示のように放送事業者に設けられてもよく、あるいは、抽選事業を扱う外部業者に設けられてもよい。抽選処理装置６０１は、登録に対して所定の処理をエントリー期間経過後に行う登録後処理部（エントリー期間後処理部といってもよい）の一形態といえる。
【００５１】
本実施の形態では、視聴者の登録が抽選応募であって、エントリー期間が応募期間であり、Ｗｅｂコンテンツ処理部１０３は登録用コンテンツとして抽選応募コンテンツを提示する。抽選処理装置６０１は、応募した視聴者に対する抽選を行い、当選・落選の通知を行うための装置である。抽選結果はメッセージ生成処理部１０６に通知されて、メッセージ生成処理部１０６で抽選結果を伝えるメッセージが生成され、そして、抽選結果は、ＥＭＭメッセージ配信処理部１０７からデジタル受信機１０１へＥＭＭメッセージ送信によって伝えられる。
【００５２】
以上のように構成された結果メッセージ送出装置１００について、図７を用いてその動作を説明する。図７において、図２および図４と同一の処理には同一の符号を付してあり、それら処理の説明は省略する。
【００５３】
本実施の形態では、ステップＳ２０１〜Ｓ２０４にて、登録用コンテンツとして、抽選応募用コンテンツがデジタル受信機１０１に提示され、抽選応募の登録情報がＣＡＳカードＩＤと共にデジタル受信機１０１からＷｅｂ認証処理部１０５に送られる。そして、ＷｅＢ認証処理部１０５での認証処理を経て、登録情報とＣＡＳカードＩＤがメッセージ生成処理部１０６に送られ、メッセージ生成処理部１０６で抽選応募の登録が行われる。
【００５４】
このようにして抽選応募の登録が複数の視聴者のＣＡＳカードＩＤに対して行われ、エントリー期間が経過して登録が締め切られた後、図７に示すように、視聴者の登録情報がメッセージ生成処理部１０６から抽選処理装置６０１に送信される（Ｓ７０１）。ここでは全応募者の登録情報が一斉に送信される。そして、メッセージ生成処理部１０６から抽選処理装置６０１へ、各視聴者の抽選を行うように指示する抽選指示が行われる（Ｓ７０２）。
【００５５】
抽選処理装置６０１は、乱数発生機能等を利用した抽選処理を実行し、抽選結果の情報を生成する（Ｓ７０３）。この情報は、視聴者毎の当選・落選結果情報であり、ＥＭＭメッセージの元になる。抽選処理装置６０１は、抽選結果の情報をメッセージ生成処理部１０６へ送信し（Ｓ７０４）、メッセージ生成処理部１０６は、ＥＭＭで送信されるべきメッセージとして、抽選結果のメッセージを生成する（Ｓ７０５）。抽選結果のメッセージは視聴者毎に生成される。生成されたメッセージは、上述の実施の形態で説明したように、ＥＭＭメッセージ配信処理部１０７からデジタル受信機１０１に送られて、デジタル受信機１０１にて表示される。
【００５６】
同一家庭内の複数のデジタル受信機１０１に関しては、上記過程で、グループ管理処理部３０１が機能して、登録情報を送ってきたデジタル受信機１０１のＣＡＳカードＩＤと同一グループのＣＡＳカードＩＤが特定されて、それら同一グループのＣＡＳカードＩＤがメッセージ生成処理部１０６にて登録される。抽選は登録情報が用いて行われ、グループの全員ではなく、登録情報を送ってきた視聴者に対してのみ行われる。しかし、抽選結果は、上述の実施の形態で説明したように、グループの全ＣＡＳカードＩＤに対して行われる。
【００５７】
また、メッセージ表示後の消去動作は図７には示されていないが、図５を用いて説明した通りである。
【００５８】
以上に本発明の第３の実施の形態に係る結果メッセージ送出装置１００について説明した。本実施の形態によれば、結果メッセージ送出装置１００が抽選処理装置６０１を備えており、Ｗｅｂコンテンツ処理部１０３で抽選応募コンテンツを表示し、応募締め切り後に、各視聴者の応募内容から、メッセージ生成処理部１０６を経由して抽選処理装置６０１で抽選を行い、抽選処理装置６０１から結果を取得してメッセージを生成し、各視聴者へ抽選の当選・落選結果をＥＭＭメッセージで送信する。こうして、結果メッセージ送出装置１００を使って抽選結果のメッセージを提供することができる。
【００５９】
次に、本発明の第４の実施の形態に係る結果メッセージ送出装置を図８に示す。以下、第１、第２、第３の実施の形態と重複する事項の説明は省略する。
【００６０】
図８に示すように、第４の実施の形態の結果メッセージ送出装置１００は、第３の実施の形態の構成に加えて、Ｗｅｂコンテンツダウンロード処理部８０１を備えており、Ｗｅｂコンテンツダウンロード処理部８０１は、後述するように本発明の特定許可コンテンツ提供処理部の一例である。
【００６１】
Ｗｅｂコンテンツダウンロード処理部８０１は、抽選で当選した視聴者（当選者）のみがダウンロードできる特別なコンテンツを配信する構成である。以下、この特別なコンテンツをプレゼントコンテンツという。本実施の形態ではプレゼントコンテンツはＷｅｂコンテンツである。
【００６２】
図８の構成において、ＥＭＭメッセージ配信処理部１０７は、当選または落選のメッセージを送出する。このうち、当選のメッセージのみが、プレゼントコンテンツ取得の案内を含んでいる。これら当選または落選のメッセージが、プレゼントコンテンツの取得の許可または拒否のメッセージの役割を果たす。
【００６３】
Ｗｅｂ認証処理部１０５は、上記の案内に従ってデジタル受信機１０１から送られたプレゼントコンテンツダウンロードの要求とＣＡＳカードＩＤを受け付ける。そして、Ｗｅｂ認証処理部１０５は、ＣＡＳカードＩＤに基づき、当選者の認証を行う。この認証処理は、基本的には、前述の実施の形態で説明した登録時の認証処理と同様であり、顧客管理処理部１０４の情報に基づいて行われる。
【００６４】
Ｗｅｂコンテンツダウンロード処理部８０１は、Ｗｅｂ認証処理部１０５から認証結果を受け取る。そして、Ｗｅｂコンテンツダウンロード処理部８０１は、認証が成功すると、デジタル受信機１０１にプレゼントコンテンツをダウンロードする。このようにして、結果メッセージ送出装置１００は、当選した視聴者のデジタル受信機１０１へのみプレゼントコンテンツを提供する。しかも、ＣＡＳカードＩＤに基づいた認証処理を経ているので、なりすましによるプレゼントコンテンツの不正な取得を防止することができる。
【００６５】
以上のように構成された結果メッセージ送出装置１００について、図９を用いてその動作を説明する。図９において、図２、図４および図５と同一の処理には同一の符号を付してあり、それら処理の説明は省略する。また、図９では、ステップＳ７０５までの処理（抽選応募の登録から抽選結果メッセージの生成までの処理）は、図７と同様なので省略されている。
【００６６】
図９において、ステップＳ７０５〜ステップＳ２１６では、前述の実施の形態と同様に、メッセージ生成処理部１０６にて抽選結果のメッセージが生成され、それから、抽選結果のＥＭＭメッセージがＥＭＭメッセージ配信処理部１０７からデジタル受信機１０１へ送信され、デジタル受信機１０１にて表示される。ただし、本実施の形態では、ＥＭＭメッセージのうち、当選者へのメッセージが、プレゼントコンテンツのダウンロードの案内を含んでおり、プレゼントコンテンツのダウンロードページへのアクセスを許可するメッセージである。また、グループ検索が行われるので、当選者の家庭の複数のデジタル受信機１０１にて同じメッセージが表示される。
【００６７】
ＥＭＭメッセージの表示後、デジタル受信機１０１に対して当選者によりコンテンツダウンロード指示の操作が行われる（Ｓ９０１）。ここではプレゼントコンテンツのダウンロードの指示が入力される。コンテンツダウンロード指示が行われると、登録情報およびＣＡＳカードＩＤが結果メッセージ送出装置１００に送られ、これによりプレゼントコンテンツダウンロードの要求が伝えられる（Ｓ２０４）。
【００６８】
登録情報およびＣＡＳカードＩＤはＷｅｂ認証処理部１０５に受け付けられる。そして、図９に示す通り、ステップＳ２０５、Ｓ２０６、Ｓ４０１、Ｓ４０２、Ｓ４０３、Ｓ４０４、Ｓ４０５で認証処理が行われる。ここでの一連の認証処理は基本的に前述の実施の形態と同様である。
【００６９】
Ｗｅｂ認証処理部１０５は、認証結果をＷｅｂコンテンツダウンロード処理部８０１へ送る（Ｓ９０２）。認証結果は、上記の処理でＷｅｂ認証処理部１０５がＣＡＳカードＩＤを用いてアクセスした視聴者を特定した結果である。Ｗｅｂコンテンツダウンロード処理部８０１は、Ｗｅｂ認証処理部１０５での認証が成功した場合、アクセスした視聴者が当選者であるか否かを判定し、アクセスした視聴者が当選者であればダウンロードを許可する（Ｓ９０３）。この判定のために、当選者の情報がＷｅｂコンテンツダウンロード処理部８０１に記憶されていてよい。また、アクセスした視聴者が当選者であるか否かの判定はＷｅｂ認証処理部１０５で行われてもよい（この場合はＷｅｂ認証部１０５が当選者か否かの認証までも行う）。
【００７０】
次に、Ｗｅｂコンテンツダウンロード処理部８０１は、ダウンロードが許可された視聴者のデジタル受信機１０１へプレゼントコンテンツをダウンロードする（Ｓ９０４、Ｓ９０５）。ダウンロード完了後、デジタル受信機１０１で視聴者がプレゼントコンテンツを閲覧することができる（Ｓ９０６）。
【００７１】
ここで、上述のプレゼントコンテンツは、本発明における特定許可コンテンツの一例である。特定許可コンテンツは、登録に対する処理の結果として許可された特定の視聴者を対象としたコンテンツである。そして、抽選結果のメッセージは、特定許可コンテンツの取得の許可または拒否を伝えるメッセージに相当する。また、ＣＡＳカードＩＤを用いた当選者認証処理は、特定許可コンテンツの取得が許可された視聴者のデジタル受信機１０１からのアクセスに対してＣＡＳカードＩＤに基づく認証を行う処理に相当する。さらに、Ｗｅｂコンテンツダウンロード処理部８０１は、本発明の特定許可コンテンツ提供処理部の一例である。本発明において、特定許可コンテンツ提供処理部は特定許可コンテンツを提供するための処理を行う構成であり、認証結果に応じて、特定許可コンテンツの取得を許可された視聴者のデジタル受信機１０１へと特定許可コンテンツを提供するための処理を行う。上記の例では特定許可コンテンツが通信回線１０２を介してダウンロードされた。
【００７２】
なお、本発明の範囲内で、特定コンテンツ提供処理部は、特定許可コンテンツを提供するための処理を行えばよい。したがって、特定許可コンテンツ提供処理部は、上記のように通信回線１０２を介してコンテンツをダウンロードする構成に限定されない。別の例では、特定許可コンテンツ提供処理部は、放送波でコンテンツを提供する。また別の例では、特定許可コンテンツ提供処理部は、特定許可コンテンツそのものを送る代わりに、デジタル受信機１０１が特定許可コンテンツを後に放送波または通信で取得するための情報を提供する構成でもよい。この情報としては、次の実施の形態で説明される録画または蓄積予約の情報が挙げられる。
【００７３】
以上に本発明の第４の実施の形態に係る結果メッセージ送出装置１００について説明した。本実施の形態によれば、特定許可コンテンツの取得許可者からのアクセスに対しても、ＣＡＳカードＩＤを使った認証を行うので、なりすましによる特定許可コンテンツの取得を防ぎ、許可者（上記の例では当選者）にのみ特定許可コンテンツを提供できる。
【００７４】
次に、本発明の第５の実施の形態に係る結果メッセージ送出装置について説明する。以下、第１〜第４の実施の形態と重複する事項の説明は省略する。
【００７５】
第５の実施の形態の結果メッセージ送出装置１００は、図８に示された第４の実施の形態と同様の構成を備えている。ただし、以下に説明するように、Ｗｅｂコンテンツダウンロード処理部８０１の機能が第４の実施の形態と異なる。
【００７６】
Ｗｅｂコンテンツダウンロード処理部８０１は、第４の実施の形態では、視聴者からのアクセスに応じてプレゼントコンテンツそのものをダウンロードする構成であった。これに対して、第５の実施の形態では、プレゼントコンテンツが、即時にダウンロードできないＷｅｂコンテンツである。あるいは、プレゼントコンテンツが、一般の視聴者はリアルタイムで視聴できない放送波コンテンツ、または一般の視聴者が蓄積予約できない放送波コンテンツである。このようなプレゼントコンテンツを提供するための処理として、Ｗｅｂコンテンツダウンロード処理部８０１が、スクリプト付きコンテンツを提供する。スクリプト付きコンテンツは、上記のようなタイプのコンテンツを提供するために、許可された視聴者のみにライセンスを付与し、そのコンテンツを自動で録画または蓄積ができるようにスクリプトを組んだコンテンツである。このようなコンテンツがＷｅｂコンテンツダウンロード処理部８０１から提供されて、デジタル受信機１０１に閲覧され、これにより、デジタル受信機１０１で自動的に録画または蓄積予約が行われる。
【００７７】
以上に本発明の第５の実施の形態について説明した。本実施の形態によれば、特定許可コンテンツ提供処理部であるＷｅｂコンテンツダウンロード処理部８０１が、放送波または通信によって取得される特定許可コンテンツの録画または蓄積予約を自動的に行うスクリプトを有するスクリプト付きコンテンツをデジタル受信機に提供する。Ｗｅｂコンテンツダウンロード処理部８０１は、許可された視聴者のみアクセス可能である。この構成により、許可者のみへの特定許可コンテンツの提供を、ある程度の時間が経過した後に行うことも可能になる。そして、一般視聴者は録画または蓄積できないコンテンツを録画または蓄積させることができる。
【００７８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７９】
以上のように、本発明にかかる結果メッセージ送出装置は、ユーザが結果メッセージを簡単に受け取ることができ、かつ、なりすましを防ぐことができるという効果を有し、抽選等の結果メッセージ送出装置として有用であり、そして、実施予定のサーバ型放送や、放送通信を融合させたコンテンツ配信サービス等として有用である。
【図面の簡単な説明】
【００８０】
【図１】本発明の第１の実施の形態における結果メッセージ送出装置のブロック図
【図２】本発明の第１の実施の形態における結果メッセージ送出装置の動作説明のためのフロー図
【図３】本発明の第２の実施の形態における結果メッセージ送出装置のブロック図
【図４】本発明の第２の実施の形態における結果メッセージ送出装置の動作説明のためのフロー図
【図５】本発明の第２の実施の形態における結果メッセージ送出装置の動作説明のためのフロー図
【図６】本発明の第３の実施の形態における結果メッセージ送出装置のブロック図
【図７】本発明の第３の実施の形態における結果メッセージ送出装置の動作説明のためのフロー図
【図８】本発明の第４の実施の形態における結果メッセージ送出装置のブロック図
【図９】本発明の第４の実施の形態における結果メッセージ送出装置の動作説明のためのフロー図
【図１０】従来の結果メッセージ送出装置のブロック図
【符号の説明】
【００８１】
１００  結果メッセージ送出装置
１０１  デジタル受信機
１０２  通信回線
１０３  Ｗｅｂコンテンツ処理部
１０４  顧客管理処理部
１０５  Ｗｅｂ認証処理部
１０６  メッセージ生成処理部
１０７  ＥＭＭメッセージ配信処理部
３０１  グループ管理処理部
６０１  抽選処理装置
８０１  Ｗｅｂコンテンツダウンロード処理部
【図１】
2007336134.tif 000003
【図２】
2007336134.tif 000004
【図３】
2007336134.tif 000005
【図４】
2007336134.tif 000006
【図５】
2007336134.tif 000007
【図６】
2007336134.tif 000008
【図７】
2007336134.tif 000009
【図８】
2007336134.tif 000010
【図９】
2007336134.tif 000011
【図１０】
2007336134.tif 000012